(57)【要約】      （修正有）【課題】鋏や園芸鋏などの二つの刃部を有する刃物を研ぐ場合に適用できる刃物研ぎ器を提供する。【解決手段】刃物研ぎ器は、本体１０と、吸盤２０と、制御部材３０と、誘導部材４０と、連動部材５０と、蓋体から成る。さらに、本体は、外周に固定座１１がつながっており、内部中央に溝１２が設けられており、本体側と異なる側にスライド１３が設けられており、上面に第一砥石１４が設けられている。吸盤の中央部分には、引っ張り棒が延びており、誘導部材は、スクリューを有し、スクリューの一端部では、拡大したつまみ４２が設けられており、連動部材は、一端部に近い側面に穴が開いており、内部には、穴と相対する箇所で締め部材が設けられている。さらに、連動部材のもう一端部の上面では、第二砥石が延びており、蓋体の底面でスライドに対応する箇所では、切り込み６１が形成されており、また、第一砥石が上に貫通できるように、通り穴が設けられている。【選択図】図１
0003168805.tif 000002
【実用新案登録請求の範囲】
【請求項１】
本体と、誘導部材と、連動部材と、蓋体とを含み、吸着装置と組み合わせて使用される刃物研ぎ器構造であって、
本体の外周には、固定座がつながっており、固定座の内部には、前方および上方向きの溝が設けられており、固定座の本体側と異なる側には、溝と外部空間とをつなぐスライドが設けられており、本体の上面には、第一砥石が設けられており、
誘導部材は、スクリューを有し、スクリューの一端部では、拡大したつまみが設けられており、
連動部材は、細長い形状であり、一端部に近い側面には、穴が開いており、内部には、穴と相対する箇所で締め部材が設けられており、連動部材のもう一端部の上面では、連動部材と枢着する第二砥石が延びており、上記枢着関係により、第二砥石は、刃部の端に沿ってスイングすることができ、これにより、刃物を研いでいる間、第二砥石が絶えず刃部に押しあてられており、
蓋体は、本体に組み合わさると、固定座の上方を閉じ、蓋体の底面でスライドに対応する箇所では、上向きに切り込みが形成されており、また、第一砥石が上に貫通できるように、通り穴が設けられており、
連動部材を、第二砥石が外側を向くように本体の溝に置き、スクリューをスライドに挿入し、連動部材の穴を通し、締め部材に締めることにより、誘導部材を完全に締め、つまみの内面が本体の固定座を押す状態になると、誘導部材と連動部材との固定が完成し、また、蓋体は、切り込みと通り穴とで回避することにより、スムーズに本体に組み合わされることを特徴とする刃物研ぎ器構造。
【請求項２】
吸着装置は、吸盤と制御部材とからなり、本体には、貫通孔が設けられており、吸盤の中央部分には、引っ張り棒が延びており、該引っ張り棒が本体の貫通孔に挿入されると、制御部材が枢着固定され、また制御部材が枢着固定される箇所では、偏心凸部が設けられており、もう片側では、操作レバーが延びていることを特徴とする請求項１に記載の刃物研ぎ器構造。
【請求項３】
締め部材は、ナットであることを特徴とする請求項１に記載の刃物研ぎ器構造。
【請求項４】
連動部材の第二砥石に対応する端では、回避斜面が設けられていることを特徴とする請求項１に記載の刃物研ぎ器構造。
【考案の詳細な説明】
【技術分野】
【０００１】
本考案は、刃物研ぎ器構造に関し、特に単一刃部の刃物および二つの刃部を有する刃物を研ぐ時に使用できる吸着式刃物研ぎ器に関する。
【背景技術】
【０００２】
刃物は、長時間使用すると、鋭利だった刃部が自然に磨耗されて鈍くなる。切れ味を戻すために、一般的には、砥石により、鈍くなった刃物を研ぐ。しかし、従来の砥石のかたまりは、重い上、収納するのも難しい。このため、コンパクトな刃物研ぎ器が市販されている。また、固定しやすくするために、刃物研ぎ器には、通常吸着装置が設けられている。
【０００３】
図９に示すように、従来の吸着式刃物研ぎ器構造は、本体（７０）と、吸盤（７１）と、制御部材（７２）と、蓋体（７３）とを含む。そこで、本体（７０）は、中央に貫通孔が設けられており、吸盤（７１）が平滑面に吸着することにより、真空吸引力が発生する。刃物研ぎ器の側面中央には、引っ張り棒が延びており、上記引っ張り棒を本体（７０）の貫通孔に挿入することにより、制御部材（７２）が本体に枢着固定される。制御部材（７２）が本体に枢着固定される箇所では、偏心凸部（７２１）が設けられており、もう一方の端では、操作レバー（７２２）が延びている。蓋体（７３）は、本体（７０）の上面に組み合わされ、その上方には、Ｖ字形の開口部を有する砥石（７３１）が設けられている。
【０００４】
使用時において、吸盤（７１）を平滑面に置き、制御部材（７２）が偏心凸部（７２１）で本体（７０）を押すように、操作レバー（７２２）を操作する。この時、吸盤（７１）は、外側へ引っ張られ、吸盤（７１）の内部に真空吸引力が発生する。また、本体（７０）は、下の吸盤（７１）の外縁を押すため、吸盤（７１）を確実に吸着により固定させることができる。この時、鈍くなった包丁や果物ナイフなどの単一刃部の刃物を上記刃物研ぎ器の砥石（７３１）の上に置き、繰り返して研ぐことにより、切れ味を戻すことができる。
【０００５】
しかし、上述した従来の刃物研ぎ器は、刃部が完全に開放されている普通の単一刃部の刃物にのみ使用することができる。鋏や園芸鋏などの二つの刃部を有する刃物を研ぎたい場合には、刃物研ぎ器全体の厚さが大きいため、二つの刃部を完全に開いた状態でも、その刃物を刃物研ぎ器で研ぐことができないため、その応用性が限られている。もし二つの刃部を完全に分離させようとすると、研ぐのに手間が掛かってしまう。一方、鋏類の多くは、リベットにより留められているため、分離することができない。以上より、刃物研ぎ器を改良する必要がある。
【０００６】
以上のように、上述した従来の吸着式刃物研ぎ器構造の欠点をどのように改良すれば良いかを検討することが当業者は努力しなければならない目標である。本考案者は、上記を鑑み、長年の経験を生かしながら設計し、多方面を検討しつつ試作をした上、修正・改良の回数を重ねた結果、本実用新案を生み出したものである。
【考案の概要】
【考案が解決しようとする課題】
【０００７】
本考案の目的は、鋏や園芸鋏などの二つの刃部を有する刃物を研ぐ場合に適用できる刃物研ぎ器構造を提供することにある。
【課題を解決するための手段】
【０００８】
本体と、誘導部材と、連動部材と、蓋体とを含み、吸着装置と組み合わせて使用される刃物研ぎ器構造であって、本体の外周には、固定座がつながっており、固定座の内部には、前方および上方向きの溝が設けられており、固定座の本体側と異なる側には、溝と外部空間とをつなぐスライドが設けられており、本体の上面には、第一砥石が設けられており、誘導部材は、スクリューを有し、スクリューの一端部では、拡大したつまみが設けられており、連動部材は、細長い形状であり、一端部に近い側面には、穴が開いており、内部には、穴と相対する箇所で締め部材が設けられており、連動部材のもう一端部の上面では、連動部材と枢着する第二砥石が延びており、上記枢着関係により、第二砥石は、刃部の端に沿ってスイングすることができ、これにより、刃物を研いでいる間、第二砥石が絶えず刃部に押しあてられており、蓋体は、本体に組み合わさると、固定座の上方を閉じ、蓋体の底面でスライドに対応する箇所では、上向きに切り込みが形成されており、また、第一砥石が上に貫通できるように、通り穴が設けられており、連動部材を、第二砥石が外側を向くように本体の溝に置き、スクリューをスライドに挿入し、連動部材の穴を通し、締め部材に締めることにより、誘導部材を完全に締め、つまみの内面が本体の固定座を押す状態になると、誘導部材と連動部材との固定が完成し、また、蓋体は、切り込みと通り穴とで回避することにより、スムーズに本体に組み合わされることを特徴とする刃物研ぎ器構造を提供する。
【考案の効果】
【０００９】
（一）本考案の刃物研ぎ器構造によれば、上記刃物研ぎ器に第一砥石および第二砥石を同時に設けており、かつ上記第二砥石を、必要に応じて、水平に移動させることができるため、一つの構成で、同時に単一刃部の刃物および二つの刃部を有する刃物の研ぎに提供することができ、さらに、二つの刃部を有する刃物を研ぐ時、二つの刃部を分離する必要もないため、応用性が高く、使用時に比較的に便利な刃物研ぎ器である。
【００１０】
（二）本考案の刃物研ぎ器構造によれば、上記第二砥石が伸びる距離は、二つの刃部を有する刃物のサイズに応じて、任意に調整することができるため、研ぐ時には、適応性が高い。
【００１１】
（三）本考案の刃物研ぎ器構造によれば、研ぎ終わった時に、第二砥石は、本体内に完全に隠されているため、比較的スペースを占めない上、使用者が不意に第二砥石に接触して怪我することを防止することができる。
【００１２】
（四）本考案の刃物研ぎ器構造によれば、刃物研ぎ器の構成部材が少なく、組み立てやすいため、材料コストおよび組み立てや金型に掛かる各コストを大幅に減らすことができる。
（五）本考案の刃物研ぎ器構造によれば、刃物研ぎ器の操作が簡単なため、ほとんどすべての消費者の使用に適する。
【００１３】
（六）本考案の刃物研ぎ器構造によれば、上記第二砥石の枢着により、刃部が移動する時に厚さが変化するのに伴い、スイングすることができるため、研ぐ過程において、第二砥石は、絶えず刃部に押しあてられているため、効率的かつ均一に上記刃部の切れ味を戻すことができる。
【図面の簡単な説明】
【００１４】
【図１】図１は、本考案の刃物研ぎ器を示す立体組立図である。
【図２】図２は、本考案の刃物研ぎ器を示す立体分解図である。
【図３】図３は、本考案の連動部材を示す立体分解図の拡大図である。
【図４】図４は、本考案の刃物研ぎ器を示す組立断面図である。
【図５】図５は、本考案の刃物研ぎ器を示す組立平面図である。
【図６】図６は、本考案の第二砥石が誘導され移動された状態を示す図である。
【図７】図７は、本考案の刃物研ぎ器により二つの刃部を有する刃物を研ぐ状態を示す概略図である。
【図８】図８は、研ぐ時に刃部の移動に伴って本考案の第二砥石が相対的にスイングする状態を示す図である。
【図９】図９は、従来の刃物研ぎ器の外観および単一刃部の刃物を研ぐ状態を示す概略図である。
【考案を実施するための形態】
【００１５】
以下に、本考案の目的、特徴および効果をより理解、認識してもらうため、図面にあわせ実施例を挙げ、詳しく説明する。
【００１６】
まず、図１から図５を参照する。本考案の刃物研ぎ器構造は、本体（１０）と、吸盤（２０）と、制御部材（３０）と、誘導部材（４０）と、連動部材（５０）と、蓋体（６０）とを含む。そこで、本体（１０）は、下向きの開口部を有する中空体であり、中央には貫通孔が設けられており、外周には上方に突出した固定座（１１）がつながっている。固定座（１１）の内部の中央には、前方および上方向きの溝（１２）が設けられている。固定座（１１）の本体（１０）側と異なる側には、上記溝（１２）と外部空間とをつなぐスライド（１３）が設けられている。本体（１０）の上面には、Ｖ字形開口部を有する第一砥石（１４）が設けられている。吸盤（２０）は、平滑面に吸着することにより、真空吸引力が発生する。吸盤（２０）の中央部分には、引っ張り棒（２１）が延びており、上記引っ張り棒（２１）が本体（１０）の貫通孔に挿入されると、制御部材（３０）が枢着固定される。制御部材（３０）が枢着固定される箇所では、偏心凸部（３１）が設けられており、もう片側では、操作レバー（３２）が延びている。誘導部材（４０）は、スクリュー（４１）を有し、上記スクリュー（４１）の一端部では、拡大したつまみ（４２）が設けられている。連動部材（５０）は、細長い形状であり、一端部に近い側面には、穴（５１）が開いている。内部には、穴（５１）と相対する箇所で締め部材（５２）が設けられている。連動部材（５０）のもう一端部の上面では、連動部材（５０）と枢着する第二砥石（５３）が延びている。上記枢着関係により、第二砥石（５３）は、刃部の端に沿ってスイングすることができる。これにより、刃物を研いでいる間、第二砥石（５３）が絶えず刃部に押しあてられている。また、上記連動部材（５０）の第二砥石（５３）に対応する端では、回避斜面（５４）が設けられている。蓋体（６０）は、本体（１０）に組み合わさると、固定座（１１）の上方を閉じることができる。蓋体（６０）の底面でスライド（１３）に対応する箇所では、上向きに切り込み（６１）が形成されている。また、蓋体（６０）には、第一砥石（１４）が上に貫通できるように、通り穴（６２）が設けられている。
【００１７】
上記構成を組み合わせる方法を以下に説明する。図１、図４および図５に示すように、連動部材（５０）を、第二砥石（５３）が外側を向くように本体（１０）の溝（１２）に置き、誘導部材（４０）およびスクリュー（４１）をスライド（１３）に挿入し、連動部材（５０）の穴（５１）を通し、締め部材（５２）に締める。誘導部材（４０）を完全に締め、つまみ（４２）の内面が本体（１０）の固定座（１１）を押す状態になると、誘導部材（４０）と連動部材（５０）との固定が完成する。また、蓋体（６０）は、切り込み（６１）と通り穴（６２）とで回避することにより、スムーズに本体（１０）に組み合わされる。さらに、スクリューなどにより本体（１０）と蓋体（６０）とを締める。
【００１８】
使用時において、吸盤（２０）を平滑面に置き、制御部材（３０）が偏心凸部（３１）で本体（１０）を押すように操作レバー（３２）を操作することにより、吸盤（２０）が外側へ引っ張られ、吸盤（２０）の内部に真空吸引力が発生する。また、本体（１０）は、下の吸盤（２０）の外縁を押す力とあわせて、吸盤（２０）を確実に吸着により固定させることができる。この時、鈍くなった包丁や果物ナイフなどの単一刃部の刃物を上記刃物研ぎ器の第一砥石（１４）の上に置き、繰り返して研ぐことにより、切れ味を戻すことができる。また、鋏や園芸鋏などの二つの刃部を有する刃物を研ぎたい場合は、つまみ（４２）を逆方向に回して緩めてから、誘導部材（４０）のつまみ（４２）を前へ移動させることにより、スクリュー（４１）が連動部材（５０）を連れてスライド（１３）と溝（１２）で移動する。これにより、第二砥石（５３）は、本体（１０）の外側へ移動され、固定座（１１）と蓋体（６０）に遮蔽されない状態になる（図６と図７も参照する）。この時、連動部材（５０）は、厚さが大き過ぎず、かつ開放されているため、開いている二つの刃部が回避できるため、上記二つの刃部を有する刃物を研ぐことができる。また、研ぎ終わる時に、誘導部材（４０）を元の位置へ移動させることにより、第二砥石（５３）が再び本体（１０）内に隠されるため、上記設計によれば、刃物研ぎ器の外部に突出する鋭い物体に使用者が不意に接触して怪我することを防止することができる。また、第二砥石（５３）の枢着により、刃部が移動する時に厚さが変化するのに伴い、スイングすることができる（図８に示すように）ため、研ぐ過程において、第二砥石（５３）は、絶えず刃部に押しあてられているため、効率的かつ均一に上記刃部の切れ味を戻すことができる。
【００１９】
上述した具体の実施例の構成により、以下の効果を奏することができる：（一）上記刃物研ぎ器に第一砥石（１４）と第二砥石（５３）とを同時に設けており、かつ上記第二砥石（５３）を、必要に応じて、水平に移動させることができるため、一つの構成で、同時に単一刃部の刃物および二つの刃部を有する刃物の研ぎに提供することができ、さらに、二つの刃部を有する刃物を研ぐ時、二つの刃部を分離する必要もないため、応用性が高く、使用時に比較的便利な刃物研ぎ器である；（二）上記第二砥石（５３）が伸びる距離は、二つの刃部を有する刃物のサイズに応じて、任意に調整することができるため、研ぐ時には、適応性が高い；（三）研ぎ終わった時に、第二砥石（５３）は、本体（１０）内に完全に隠されているため、比較的スペースを占めない上、使用者が不意に第二砥石（５３）に接触して怪我することを防止することができる；（四）刃物研ぎ器の構成部材が少なく、組み立てやすいため、材料コストおよび組み立てや金型に掛かる各コストを大幅に減らすことができる；（五）上記刃物研ぎ器は、操作が簡単なため、ほとんどすべての消費者の使用に適する；（六）上記第二砥石（５３）の枢着により、刃部が移動する時に厚さが変化するのに伴い、スイングすることができるため、研ぐ過程において、第二砥石（５３）は、絶えず刃部に押しあてられているため、効率的かつ均一に上記刃部の切れ味を戻すことができる。
【００２０】
上記は、本考案の好適な実施例に過ぎず、本考案の範囲を制限するものではない。本考案の実用新案登録請求の範囲に応じて行った様々な変更および修正は、すべて本実用新案登録の範囲内に含まれる。
【符号の説明】
【００２１】
１０  本体
１１  固定座
１２  溝
１３  スライド
１４  第一砥石
２０  吸盤
２１  引っ張り棒
３０  制御部材
３１  偏心凸部
３２  操作レバー
４０  誘導部材
４１  スクリュー
４２  つまみ
５０  連動部材
５１  穴
５２  締め部材
５３  第二砥石
５４  回避斜面
６０  蓋体
６１  切り込み
６２  通り穴
７０  本体
７１  吸盤
７２  制御部材
７２１  偏心凸部
７２２  操作レバー
７３  蓋体
７３１  砥石
【図１】
0003168805.tif 000003
【図２】
0003168805.tif 000004
【図３】
0003168805.tif 000005
【図４】
0003168805.tif 000006
【図５】
0003168805.tif 000007
【図６】
0003168805.tif 000008
【図７】
0003168805.tif 000009
【図８】
0003168805.tif 000010
【図９】
0003168805.tif 000011